(57)【要約】【課題】被洗浄物に与えるダメージを最小限にしながら高い洗浄効果を得られる洗浄装置を提供する。【解決手段】洗浄液８が収容される洗浄槽１の底部に設置可能で、ノズル面２ａに多数のエア噴出用のノズル４が穿設され、上記各ノズル４に連通する所定容量のバッファ室３を有するノズルヘッド２と、上記ノズルヘッド２を正転逆転を繰り返すよう回転駆動する回転駆動手段５とを備え、上記ノズルヘッド２は、ノズルヘッド２の回転方向においてノズル面２ａがフラットになるよう形成した。【選択図】図１
2007319724.tif 000002
【特許請求の範囲】
【請求項１】
洗浄液が収容される洗浄槽の底部に設置可能でノズル面に多数のエア噴出用のノズルが穿設されたノズルヘッドと、上記ノズルヘッドを正転逆転を繰り返すよう回転駆動する駆動手段とを備え、上記ノズルヘッドはノズルヘッドの回転方向においてノズル面がフラットになるよう形成されていることを特徴とする洗浄装置。
【請求項２】
上記ノズルヘッドは、上記各ノズルに連通する所定容量のバッファ室を有し、上記ノズルは、噴出側の開口がバッファ室側の開口よりも小さくなるよう設定されている請求項１記載の洗浄装置。
【請求項３】
ノズル面に多数のエア噴出用のノズルが穿設された第２ノズルヘッドが、上記洗浄槽に満たされた洗浄液の液面にノズル面を対面させるよう配置されている請求項１または２記載の洗浄装置。
【請求項４】
上記駆動手段は、ノズルヘッドを回転可能に軸支する軸に設けられた風車部材に対して風力を与えて回転させるものである請求項１〜３のいずれか一項に記載の洗浄装置。
【請求項５】
ノズル面に多数のエア噴出用のノズルが穿設されたノズルヘッドの回転方向においてノズル面がフラットになるよう形成されたノズルヘッドを洗浄液が収容される洗浄槽の底部に設置し、上記ノズルから空気を噴射しながらノズルヘッドの正転逆転を繰り返すことを特徴とする洗浄方法。
【発明の詳細な説明】
【技術分野】
【０００１】
本発明は、被洗浄物に与えるダメージを最小限にしながら高い洗浄効果を得られる洗浄装置および方法に関するものである。
【背景技術】
【０００２】
従来から、洗浄液を満たした洗浄槽内に被洗浄物を投入して洗浄する各種の装置が考案されている。例えば、下記の特許文献１記載のペット洗浄器では、温水を満たした洗浄槽内にペットを入れ、プロペラで温水を循環させることによりペットを洗浄しようとするものである。また、下記の特許文献２記載のキッチン用洗浄器では、洗浄液を満たした洗浄槽に野菜や食器を投入し、洗浄槽の底部に設けた気泡発生板から気泡を噴出させて野菜や食器を洗浄しようとするものである。さらに、下記の特許文献３記載の洗濯機では、洗濯槽の底部に設けた攪拌翼にノズルを設け、ノズルから空気を噴出しながら攪拌翼を回転させて洗濯物を洗浄しようとするものである。
【特許文献１】実開平０６−０６８４３３号公報
【特許文献２】特開平０９−１０８１５８号公報
【特許文献３】特開２０００−３４２８７８号公報
【発明の開示】
【発明が解決しようとする課題】
【０００３】
しかしながら、上記特許文献１記載のペット洗浄器では、単に湯水を循環させるだけで洗浄しようとするものであり、それほど大きな洗浄効果を得られない。また、上記特許文献２記載のキッチン用洗浄器では、底部の気泡発生板からの気泡により洗浄効果を高めようとしたものであるが、洗浄槽内に投入された被洗浄物に対して底部から浮き上がってくる気泡が接触するだけであり、やはり十分な洗浄効果を得ることはできない。上記特許文献３記載の洗濯機では、攪拌翼により大きな水流を与えながら洗浄するため、洗浄効果は得られるものの、被洗浄物に対して与えるダメージが大きいため、適用用途が限られているという問題がある。
【０００４】
本発明は、上記のような事情に鑑みなされたもので、被洗浄物に与えるダメージを最小限にしながら高い洗浄効果を得られる洗浄装置およびその方法の提供をその目的とする。
【課題を解決するための手段】
【０００５】
上記目的を達成するため、本発明の洗浄装置は、洗浄液が収容される洗浄槽の底部に設置可能でノズル面に多数のエア噴出用のノズルが穿設されたノズルヘッドと、上記ノズルヘッドを正転逆転を繰り返すよう回転駆動する駆動手段とを備え、上記ノズルヘッドはノズルヘッドの回転方向においてノズル面がフラットになるよう形成されていることを要旨とする。
【０００６】
また、上記目的を達成するため、本発明の洗浄方法は、ノズル面に多数のエア噴出用のノズルが穿設されたノズルヘッドの回転方向においてノズル面がフラットになるよう形成されたノズルヘッドを洗浄液が収容される洗浄槽の底部に設置し、上記ノズルから空気を噴射しながらノズルヘッドの正転逆転を繰り返すことを要旨とする。
【発明の効果】
【０００７】
すなわち、本発明は、洗浄槽に洗浄液を収容し、洗浄槽の底部に設置したノズルヘッドに空気を送り込んでノズルから空気を噴射しながらノズルヘッドの正転と逆転を繰り返す。このとき、ノズルヘッドが回転しながら空気を噴射するため、噴射された気泡は洗浄槽内で渦を巻きながら液面に向かって上昇し、被洗浄物に対してまとわり付くように接触するので高い洗浄効果を得ることができる。また、ノズルヘッドは正転と逆転を繰り返すことから、気泡の渦も右旋回の渦と左旋回の渦が繰り返し生じ、被洗浄物に対して交互の渦が洗浄作用をもたらし、さらに効果的にまんべんなく洗浄することができる。さらに、ノズルヘッドのノズル面はノズルヘッドの回転方向においてフラットに形成されていることから、水流がほとんど生じず、被洗浄物に対してほとんどダメージを与えることなく効果的な洗浄を行うことができるのである。
【０００８】
本発明において、上記ノズルヘッドは、上記各ノズルに連通する所定容量のバッファ室を有し、上記ノズルは、噴出側の開口がバッファ室側の開口よりも小さくなるよう設定されている場合には、洗浄液内に空気を噴射する際の空気の流速が速くなり、被洗浄物に対して気泡が接触する際の衝撃力が大きくなるので、より効果的な洗浄効果を得ることができる。
【０００９】
本発明において、ノズル面に多数のエア噴出用のノズルが穿設された第２ノズルヘッドが、上記洗浄槽に満たされた洗浄液の液面にノズル面を対面させるよう配置されている場合には、特に、比重が軽い被洗浄物は下からのエア噴射により浮き上がって液面から露出した部分が洗浄できなくなるが、第２ノズルヘッドにより液面からの露出が防止されて洗浄効果の低下が防止される。また、ノズル面と液面との間にエア膜が形成されるため、被洗浄物が第２ノズルヘッドに直接接触するのが防止されることから、被洗浄物の損傷が防止される。
【００１０】
本発明において、上記駆動手段は、ノズルヘッドを回転可能に軸支する軸に設けられた風車部材に対して風力を与えて回転させるものである場合には、例えば、ノズルヘッドからのエア噴射に用いるエア圧をノズルヘッドの駆動にも利用でき、駆動系のエネルギーならびに設備効率がよくなる。また、比較的重い被洗浄物がノズル面に乗るようなことがあった場合には、被洗浄物の重量でノズルヘッドの回転が停止するため、被洗浄物の損傷が確実に防止されるとともに、安全性も確保できる。
【発明を実施するための最良の形態】
【００１１】
つぎに、本発明を実施するための最良の形態を説明する。
【００１２】
図１は、本発明が適用される洗浄装置の第１実施形態を示す断面図である。
【００１３】
この実施形態の洗浄装置は、洗浄液８が収容された洗浄槽１と、上記洗浄槽１の底部に設置可能なノズルヘッド２と、上記ノズルヘッド２を正転逆転を繰り返すよう回転駆動する回転駆動手段５とを備えている。
【００１４】
上記洗浄槽１は、底部の下に所定空間を保った状態でフレーム１１の上に載置されている。上記洗浄槽１には洗浄液８が収容され、底部近傍には、洗浄液８を排出するドレン管２６が設けられている。
【００１５】
上記ノズルヘッド２は、この例では中空の円盤状に形成されており、略液面と対面する上面のノズル面２ａに多数のエア噴出用のノズル４が穿設されている。内部空間が上記各ノズル４に連通する所定容量のバッファ室３となっている。そして、このノズルヘッド２では、上記バッファ室３に圧縮空気を導入することにより、各ノズル４から洗浄液８中に空気を噴射するようになっている。
【００１６】
図２（Ａ）は、上記ノズルヘッド２の平面図である。この例では、上記ノズル４は、ノズル面２ａの中心部から放射状に所定ピッチでノズル４が列設されたノズル列が形成され、複数（この例では８つ）のノズル列が円周方向に所定の位相のずれをもって等間隔状に配置されている。
【００１７】
図２（Ｂ）〜（Ｄ）は、上記ノズル４近傍の断面図を示したものである。上記ノズル４は、空気の噴出側の開口がバッファ室３側の開口よりも小さくなるよう設定されている。図２（Ｂ）に示す例は、噴出側の開口とバッファ室３側の開口との間に段部を形成することにより表裏の開口径を異ならせたものである。図２（Ｃ）に示す例は、噴出側の開口とバッファ室３側の開口との間をテーパ状に形成することにより表裏の開口径を異ならせたものである。図２（Ｄ）に示す例は、噴出側の開口をストレート状の孔とし、バッファ室３側の開口をテーパ状のざぐりとすることにより表裏の開口径を異ならせたものである。なお、これらの開口形状は一例を示すものであり、これらに限定するものではない。
【００１８】
上記ノズルヘッド２は、中空の軸６により洗浄槽１の底部に設けられた軸受ユニット１０に回転可能に軸支されている。上記軸受ユニット１０は軸６を液密状に軸支するものであり、洗浄槽１内の洗浄液８は当該軸受ユニット１０の部分からは漏れないように構成されている。
【００１９】
上記中空の軸６の内部空間は、上記ノズルヘッド２のバッファ室３に連通しており、圧縮機１２からエア導入器１７に導入された圧縮空気が、上記軸６の中空部を介して上記バッファ室３に導入されるようになっている。
【００２０】
図３は、上記エア導入器１７の概略構成の一例を示すものである。
【００２１】
上記エア導入器１７は、上記中空状の軸６を受ける軸受凹部２７に、上記軸６をラジアル方向において軸支するラジアル軸受１８と、上記軸６の下端部をスラスト方向において軸支するスラスト軸受１９とが配置されている。また、上記ラジアル軸受１８と軸６および軸受凹部２７の間である程度以上の気密が保たれるようシールがなされている。上記軸受凹部２７の中央部には、上記軸６の中空部に連通する流路２０の一端が開口している。上記流路２０の他端には、圧縮器１２から延びるエア導入管１６が接続されている。これにより、圧縮機１２から導出された圧縮空気は、エア導入管１６、流路２０、軸６の中空部を介してノズルヘッド２のバッファ室３に導入されるようになっている。
【００２２】
上記ノズルヘッド２は、回転駆動手段５により正転と逆転を繰り返すよう回転駆動されるようになっている。すなわち、上記軸６すなわちノズル面２ａの中心を軸芯としてノズル面２ａを回転させる。そして、上記ノズルヘッド２は、ノズル面２ａが液面と略平行なフラット面に形成され、ノズルヘッド２の回転方向においてノズル面２ａが実質的にフラットになるよう形成されている。また、この例では、上記ノズルヘッド２は、ノズル面２ａ以外の側面や底面もノズルヘッド２の回転方向に沿ってフラットになるよう形成されている。
【００２３】
すなわち、上記ノズルヘッド２の洗浄液８と接触する表面は、ノズルヘッド２が回転したときにその回転方向に沿って実質的に凹凸がないように形成されている。したがって、ノズルヘッド２の回転に対して洗浄液８の抵抗がほとんどなく、小さい回転駆動力でノズルヘッド２を回転できるほか、ノズル面２ａの回転による洗浄液８に対する攪拌作用がほとんど生じず、ノズルヘッド２が正転逆転を繰り返してもそれだけでは洗浄液８にはほとんど水流が生じない。
【００２４】
図４は、上記ノズルヘッド２を回転させる回転駆動手段５の概略構成を示す図である。
【００２５】
上記回転駆動手段５は、ノズルヘッド２を回転可能に軸支する軸６に設けられた風車部材７に対して風力を与えて回転させるものである。上記軸６に形成された風車部材７は、この例では軸６のラジアル方向に延びる羽根が複数（この例では８つ）取り付けられている。そして、風車部材７を図示の右回転させるように圧縮空気を吹き付ける第１エア噴射ノズル１４ａと、風車部材７を図示の左回転させるように圧縮空気を吹き付ける第２エア噴射ノズル１４ｂが、上記風車部材７に対して臨むように配置されている。
【００２６】
上記第１エア噴射ノズル１４ａおよび第２エア噴射ノズル１４ｂから噴射させる圧縮空気は圧縮機１２から供給され、切替弁１３により第１エア噴射ノズル１４ａから噴射させるか第２エア噴射ノズル１４ｂから噴射させるかを選択的に切り替えるようになっている。そして、第１エア噴射ノズル１４ａからのエア噴射と第２エア噴射ノズル１４ｂからのエア噴射を交互に行うことにより、風車部材７を図示の右回転させる状態と図示の左回転させる状態とを交互に行い、ノズルヘッド２の正転と逆転を繰り返すようになっている。
【００２７】
このとき、上述したように、ノズルヘッド２の回転に対して洗浄液８の抵抗がほとんどないことから、圧縮空気による風力のような比較的小さい回転駆動力でノズルヘッド２をスムーズに回転させることができる。また、三方向弁のような切替弁１３の切替操作だけでノズルヘッド２の正転逆転を切り替えることができ、切替制御が容易である。しかも、ノズルヘッド２から噴射する圧縮空気を利用してノズルヘッド２の回転動力としているため、動力効率もよい。さらに、洗浄槽１の下側の空間に設置する回転駆動手段５を空気圧駆動としたことから、例えば洗浄槽１への被洗浄物の出し入れなどで洗浄液が飛散したとしても、回転駆動への支障が生じにくく、また安全でもある。
【００２８】
上記ノズルヘッド２は、ノズル面２ａが洗浄槽１の底面から少し液面寄りの高さに位置するように配置され、洗浄はノズル面２ａと洗浄液の液面との間の領域で行われる。そして、この例では、上記洗浄槽１のノズル面２ａよりも少し液面に近い高さ位置に、ノズルヘッド２と被洗浄物の接触を防止する接触防止部材としてのメッシュ板２２が配置されている。これにより、回転するノズルヘッド２への被洗浄物の接触を防止し、ノズルヘッド２の回転を妨げないようになっている。このようにすることにより、圧縮空気による風力のような比較的小さい回転駆動力でノズルヘッド２をスムーズに回転させることができる。また、上記メッシュ板２２には、ノズル４から噴射された気泡の通過を妨げない多数の開口が形成されているため、洗浄効果を低下させることがない。
【００２９】
また、比較的比重の重い被洗浄物を洗浄する場合でも、上記メッシュ板２２上に被洗浄物を載置した状態で洗浄を行うことができる。例えば、ペット等の動物や人体などの被洗浄物を洗浄する際には、メッシュ板２２上に被洗浄物を載置して洗浄する。
【００３０】
上記洗浄装置により、例えばつぎのようにして本発明の洗浄方法を行う。
【００３１】
すなわち、ノズル面２ａに多数のエア噴出用のノズル４が穿設され、上記各ノズル４に連通する所定容量のバッファ室３を有し、ノズルヘッド２の回転方向においてノズル面２ａがフラットになるよう形成されたノズルヘッド２を洗浄液８が収容される洗浄槽１の底部に設置し、上記ノズル４から空気を噴射しながらノズルヘッド２の正転逆転を繰り返す。
【００３２】
以上のように、本実施形態の洗浄装置および洗浄方法によれば、洗浄槽１に洗浄液８を収容し、洗浄槽１の底部に設置したノズルヘッド２に空気を送り込んでノズル４から空気を噴射しながらノズルヘッド２の正転と逆転を繰り返す。このとき、ノズルヘッド２が回転しながら空気を噴射するため、噴射された気泡は洗浄槽１内で渦を巻きながら液面に向かって上昇し、被洗浄物に対してまとわり付くように接触するので高い洗浄効果を得ることができる。また、ノズルヘッド２は正転と逆転を繰り返すことから、気泡の渦も右旋回の渦と左旋回の渦が繰り返し生じ、被洗浄物に対して交互の渦が洗浄作用をもたらし、さらに効果的にまんべんなく洗浄することができる。さらに、ノズルヘッド２のノズル面２ａはノズルヘッド２の回転方向においてフラットに形成されていることから、水流がほとんど生じず、被洗浄物に対してほとんどダメージを与えることなく効果的な洗浄を行うことができるのである。
【００３３】
また、上記ノズル４を、噴出側の開口がバッファ室３側の開口よりも小さくなるよう設定することにより、洗浄液８内に空気を噴射する際の空気の流速が速くなり、被洗浄物に対して気泡が接触する際の衝撃力が大きくなるので、より効果的な洗浄効果を得ることができる。
【００３４】
また、上記回転駆動手段５は、ノズルヘッド２を回転可能に軸支する軸６に設けられた風車部材７に対して風力を与えて回転させるものであるため、例えば、ノズルヘッド２からのエア噴射に用いるエア圧をノズルヘッド２の駆動にも利用でき、駆動系のエネルギーならびに設備効率がよくなる。
【００３５】
図５は、本発明の第２実施形態の洗浄装置を示す断面図である。
【００３６】
この例では、ノズル面２１ａに多数のエア噴出用のノズル４が穿設された第２ノズルヘッド２１が、上記洗浄槽１に満たされた洗浄液８の液面にノズル面２１ａを対面させるよう配置されている。
【００３７】
上記第２ノズルヘッド２１は、洗浄槽１の底部に配置されたノズルヘッド２と同様に、中空の円盤状に形成され、内部空間がノズル４に連通するバッファ室３になっている。図示の下面がノズル面２１ａであり、多数のエア噴出用のノズル４が穿設されている。上記第２ノズルヘッド２１には、ノズル面２１ａと反対側の側面に、洗浄槽１の上部開口端に係止する係止部２８が形成されている。それ以外は上記第１実施形態と同様であり、同様の部分には同じ符号を付している。
【００３８】
本実施形態では、ノズル面２１ａに多数のエア噴出用のノズル４が穿設された第２ノズルヘッド２１が、上記洗浄槽１に満たされた洗浄液８の液面にノズル面２１ａを対面させるよう配置されているため、特に、比重が軽い被洗浄物は下からのエア噴射により浮き上がって液面から露出した部分が洗浄できなくなるが、第２ノズルヘッド２１により液面からの露出が防止されて洗浄効果の低下が防止される。また、ノズル面２１ａと液面との間にエア膜が形成されるため、被洗浄物が第２ノズルヘッド２１に直接接触するのが防止されることから、被洗浄物の損傷が防止される。
【００３９】
本実施形態において、上記第２ノズルヘッド２１は、停止させていてもよいが、ノズル面２１ａすなわち液面に沿って回転させるようにすることもできる。このようにすることにより、ノズル面２１ａ近傍に形成されるエア膜に被洗浄物が留まるのが防止され、より洗浄効果が高くなる。それ以外は、上記第１実施形態と同様の作用効果を奏する。
【００４０】
図６は、本発明の第３実施形態の洗浄装置を示す断面図である。
【００４１】
この例では、ノズルヘッド２の略液面と対面するノズル面２ａが、中心が最も低く、周辺に行くほど高くなるすり鉢状の傾斜面に形成され、上記傾斜面にノズル４が穿設されている。このように、本発明において、ノズルヘッド２の回転方向においてノズル面２ａがフラットになるよう形成されているのは、ノズル面２ａが液面と略平行なフラット面である場合だけでなく、ノズルヘッド２の回転方向すなわち軸６を中心とした円周方向において凹凸が存在しなければ、フラット面に限定するものではない。
【００４２】
この例では、ノズル面２ａがすり鉢状に形成されていることから、ノズルヘッド２を回転させながらノズル４から空気を噴射したとき、噴射された気泡は洗浄槽１内で渦を巻き、中心に集まりながら液面に向かって上昇する。したがって、気泡の集中する中心部分において極めて効果的な洗浄効果を得ることができる。
【００４３】
この例において、気泡の集中する中心部分に被洗浄物を位置決めする位置決め部材を洗浄槽１内に設けることにより、さらに効果的な洗浄を行うことができる。図示した例ではメッシュ板２２が上記位置決め部材として機能する。位置決め部材としては、噴射された気泡の通過を妨げず、ノズルヘッド２と被洗浄物との接触を防止し、かつ気泡の集中する中心部分に被洗浄物を位置決めしうるものであれば、メッシュ板２２に限定するものではない。それ以外は、上記第１実施形態と同様の作用効果を奏する。
【００４４】
また、この実施形態において、第２実施形態に示した第２ノズルヘッド２１を適用することができるのは言うまでもない。
【００４５】
図７は、本発明の第４実施形態の洗浄装置を示す断面図である。
【００４６】
この例は、ノズルヘッド２のノズル面２ａが、軸心を中心とする同心円状の凸状２９が形成されたものとして構成されている。したがって、ノズル面２ａは、径方向には凹凸が存在するものの、ノズルヘッド２の回転方向においては凹凸が存在せず、洗浄液内で回転しても洗浄液８に対して水流をほとんど起さない。また、ノズル４は、上記凸状の側面に開口している。本発明はこのような態様を含む趣旨である。
【００４７】
図８および図９は、本発明の第５実施形態の洗浄装置を示す図である。
【００４８】
この例は、１つの洗浄槽１に複数（この例では６つ）のノズルヘッド２が設置された例である。各ノズルヘッド２およびノズルヘッド２を回転させる各回転駆動手段５は、第１実施形態で説明したものと同様である。
【００４９】
またこの例では、各ノズルヘッド２のノズル面２ａを上側に露呈させる開口２４が形成された中底板２３が設けられている。上記中底板２３は、その上面がノズル面２ａと面一になる高さに配置されている。そして、ノズル面２ａおよび中底板２３より上側の領域が洗浄領域となっている。
【００５０】
ノズルヘッド２は、上述したように風圧で回転駆動されていることから、比較的重い被洗浄物がノズル面２ａに乗るようなことがあったとしても、被洗浄物の重量でノズルヘッド２の回転が停止するため、被洗浄物の損傷が確実に防止されるとともに、安全性も確保できる。なお、この例において、ノズル面２ａよりも上側にメッシュ板２２を配置するようにしてもよい。
【００５１】
また、隣り合って並ぶノズルヘッド２同士において、同じ方向に風車部材７を回転させる第１エア噴射ノズル１４ａおよび第２エア噴射ノズル１４ｂは、それぞれ噴射方向を同一にして、かつ噴射方向に一列に並ぶように配置されている。図示した例では、図示の左右に１列に並ぶ３つの風車部材７において、第１エア噴射ノズル１４ａおよび第２エア噴射ノズル１４ｂは、それぞれ風車部材７が並ぶ方向と同一の方向（図示の左右方向）を噴射方向とし、かつ上記噴射方向と同じ方向（図示の左右方向）に１列に並んでいる。
【００５２】
このようにすることにより、複数並んだ第１エア噴射ノズル１４ａから噴射されたエア圧が同じ方向を向いて噴射されることから、複数の第１エア噴射ノズル１４ａから噴射されたエア圧が合成されてより効率よく風車部材７を回転させることができる。複数の第２エア噴射ノズル１４ｂから噴射されたエア圧も合成されてより効率よく風車部材７を回転させることができる。
【００５３】
また、この例では、複数（この例では６つ）のノズルヘッド２の各第１エア噴射ノズル１４ａに連通するエアラインは１つの切替弁１３から分岐させ、各第２エア噴射ノズル１４ｂに連通するエアラインも上記１つの切替弁１３から分岐させている。このようにすることにより、１つの切替弁１３による切替操作により、全てのノズルヘッド２における正転逆転を同調させることができる。また、各第１エア噴射ノズル１４ａおよび第２エア噴射ノズル１４ｂに連通するエアラインには開閉弁２５が設けられていることから、所望のノズルヘッド２に連通するエアラインの開閉弁２５を閉じることで、一部のノズルヘッド２を回転駆動しないようにすることも可能である。例えば動物や人体等の被洗浄物が接触するとわかっているノズルヘッド２の回転を停止することで、より安全を確保できる。
【００５４】
また、この実施形態において、第２実施形態に示した第２ノズルヘッド２１を適用することもできるし、第３実施形態や第４実施形態に示したノズルヘッド２を適用することができるのは言うまでもない。
【００５５】
本発明は、上述した各実施形態の構成に限定されるものではなく、つぎのような変形例を包含する趣旨である。
【００５６】
上記各実施の形態では、エア導入管１６、流路２０、軸６の中空部を介してノズルヘッド２のバッファ室３に圧縮空気を導入してノズル４から圧縮空気を噴出するようになっているが、圧縮空気と水を混合状態で導入し、ノズルからミスト状に噴出させることもできる。このようにすることにより、気泡だけで洗浄するよりも高い洗浄効果を得ることができる。また、このようにノズル４から圧縮空気と水を噴出してミスト噴射で洗浄する場合、洗浄槽１に洗浄液を満たさない状態でミスト噴射だけで洗浄することもできる。
【００５７】
上記各実施形態では、回転駆動手段５としてエア圧の風力でノズルヘッド２を回転させるものを例示したが、これに限定するものではなく、例えば、動力としてモータを使用し、チェーン駆動、ベルト駆動、タイミングベルト駆動等の手段によりノズルヘッド２を回転させるようにしてもよい。また、ノズルヘッド２の軸６に直接モータを接続して回転させるようにしてもよい。
【００５８】
また、本発明が対象とする被洗浄物は、特に限定するものではなく、各種の用途に応用することが可能である。例えば、ペット等を洗浄するペット洗浄機、人体を洗浄する人体洗浄機や入浴装置、衣類等の繊維製品を洗浄する繊維製品洗浄機、食品を洗浄する食品洗浄機、食器を洗浄する食器洗浄機、機械部品を洗浄する機械部品洗浄機等、各種の洗浄機に適用することが可能である。
【図面の簡単な説明】
【００５９】
【図１】本発明が適用される洗浄装置の第１実施形態を示す断面図である。
【図２】ノズルヘッドを示す図であり（Ａ）は平面図、（Ｂ）〜（Ｄ）はノズル部分の断面である。
【図３】エア導入器の概略構成を示す図である。
【図４】回転駆動手段の概略構成を示す図である。
【図５】本発明の第２実施形態の洗浄装置を示す断面図である。
【図６】本発明の第３実施形態の洗浄装置を示す断面図である。
【図７】本発明の第４実施形態の洗浄装置を示す図であり、（Ａ）は断面図、（Ｂ）はノズルヘッドの平面図である。
【図８】本発明の第５実施形態の洗浄装置を示す図であり、（Ａ）は断面図、（Ｂ）は平面図である。
【図９】上記第５実施形態の洗浄装置の回転駆動手段の概略構成を示す図である。
【符号の説明】
【００６０】
１：洗浄槽
２：ノズルヘッド
２ａ：ノズル面
３：バッファ室
４：ノズル
５：回転駆動手段
６：軸
７：風車部材
８：洗浄液
１０：軸受ユニット
１１：フレーム
１２：圧縮機
１３：切替弁
１４ａ：第１エア噴射ノズル
１４ｂ：第２エア噴射ノズル
１５：開閉弁
１６：エア導入管
１７：エア導入器
１８：ラジアル軸受
１９：スラスト軸受
２０：流路
２１：第２ノズルヘッド
２１ａ：ノズル面
２２：メッシュ板
２３：中底板
２４：開口
２５：開閉弁
２６：ドレン管
２７：軸受凹部
２８：係止部
２９：凸状
【図１】
2007319724.tif 000003
【図２】
2007319724.tif 000004
【図３】
2007319724.tif 000005
【図４】
2007319724.tif 000006
【図５】
2007319724.tif 000007
【図６】
2007319724.tif 000008
【図７】
2007319724.tif 000009
【図８】
2007319724.tif 000010
【図９】
2007319724.tif 000011